(57)【特許請求の範囲】
【請求項１】
矩形状に形成された第１主面と、当該第１主面とは反対側において矩形状に形成された第２主面と、前記第１主面及び第２主面の周縁部同士を連結し、上縁面、下縁面、及び一対の側縁面を有する周縁面と、を備え、前記第１主面から突出する少なくとも１つのジョイスティックと、前記上縁面のうち、前記一対の側縁面側部分のそれぞれに設けられ、前記第２主面側に突出する操作部と、前記第２主面から突出し前記各操作部の前記下縁面側に位置する突出部と、有する携帯型電子機器、を収容するカバーであって、
前記第１主面を覆う前カバーと、
前記第２主面を覆う後カバーと、
前記前カバー及び後カバーを接続する接続部と、
を備え、
前記携帯型電子機器を収容可能な内部空間を形成するように、前記後カバーに対して前記前カバーを閉じる閉状態と、前記後カバーに対して前記前カバーが開いた開状態と、を取り得るように、前記接続部が前記前カバー及び後カバーを接続し、
前記前カバーは、前記閉状態において、前記第１主面と対向する内面と、当該内面とは反対側の外面と、を有し、
前記前カバーの内面は、前記閉状態において、前記ジョイスティックと対応する位置に、当該ジョイスティックの少なくとも一部を覆うように形成された窪み部を備え、
前記前カバーの外面は、前記窪み部の反対側の位置に形成され、膨出する膨出部を備え、
前記後カバーは、
前記第２主面を覆う第１基部と、
前記第１基部の周縁から延び、前記各突出部を、前記下縁面側から覆う延在部と、
を備え、
前記閉状態において、前記前カバーと後カバーとの間に、前記操作部を外部に露出させる開口が形成されている、カバー。
【請求項２】
前記閉状態において、前記前カバーの内面と前記第１主面との間に隙間が形成されるように構成されている、請求項１に記載のカバー。
【請求項３】
前記後カバーは、
前記第１基部の周縁から起立し、前記携帯型電子機器の周縁面のうち、前記下縁面及び一対の側縁面の少なくとも一部に接触可能な第１側壁部、を備え、
当該第１側壁部の少なくとも一部は、前記下縁面及び一対の側壁面の少なくとも一部に係合可能に構成され、
前記接続部は、前記閉状態において、前記携帯型電子機器の前記上縁面を覆う位置に配置されるように構成されている、請求項１または２に記載のカバー。
【請求項４】
前記前カバーは、
前記携帯型電子機器の第１主面を覆う第２基部と、
前記第２基部の周縁から起立し、前記携帯型電子機器の周縁面のうち、少なくとも、前記下縁面及び一対の側縁面の一部を覆う第２側壁部と、
を備え、
前記閉状態においては、前記後カバーの第１側壁部の先端面と、前記前カバーの第２側壁部の先端面とが、接触するように構成されている、請求項３に記載のカバー。
【請求項５】
前記携帯型電子機器の前記下縁面には、少なくとも１つのスピーカ孔が形成されており、
前記後カバーの前記第１側壁部において、前記下縁面と対向する部分のうち、前記スピーカ孔と対向する位置に、前記開状態において前記スピーカ孔が外部に露出される切り欠き部が形成されている、請求項３または４に記載のカバー。
【請求項６】
前記後カバーの前記第１側壁部は、前記一対の側縁面と対向する一対の側縁部と、前記下縁面と対向する下縁部とを備え、前記第１側壁部の起立方向の略中央付近においては、前記側縁部の肉厚が前記下縁部の肉厚よりも薄い、請求項３から５のいずれかに記載のカバー。
【請求項７】
前記前カバーの肉厚は、前記後カバーの前記第１基部の肉厚よりも厚い、請求項１から６のいずれかに記載のカバー。
【請求項８】
前記前カバーは、
前記携帯型電子機器の第１主面を覆う第２基部と、
前記第２基部の周縁から起立し、前記携帯型電子機器の周縁面のうち、少なくとも、前記下縁面及び一対の側縁面の一部を覆う第２側壁部と、
を備え、
前記第２基部の肉厚は、戦記第１基部の肉厚よりも厚い、請求項７に記載のカバー。
【請求項９】
前記延在部は、前記操作部において前記第２主面から最も突出する先端部よりも、前記基部から突出している、請求項１から８のいずれかに記載のカバー。
【発明の詳細な説明】
【技術分野】
【０００１】
本発明は、携帯型電子機器が収容されるカバーに関する。
【背景技術】
【０００２】
特許文献１には、携帯型電子機器であるスマートフォンを収容するカバーが開示されている。このカバーは、扁平状のスマートフォンの前面を覆う板状の第１カバーと、スマートフォンの背面を覆う板状の第２カバーと、これら２つのカバーを折りたたみ自在に接続する接続部と、を有している。
【先行技術文献】
【非特許文献】
【０００３】
【特許文献１】特開２０１８−１６００２５号公報
【発明の概要】
【発明が解決しようとする課題】
【０００４】
上記のようなカバーは、スマートフォンのみならず、携帯型ゲーム装置においても用いることができる。しかしながら、携帯型ゲーム装置によっては、ジョイスティックなど、ゲーム装置の主面から大きく突出する操作部を有するものがあり、このように大きく突出する操作部も収容しようとすると、カバーが大型化するという問題がある。この問題に限られず、カバーは、ゲーム装置の形状に適したものとすることが求められている。なお、このような問題は、ゲーム装置のみならず、携帯型電子機器全般に生じ得る問題である。本発明は、この問題を解決するためになされたものであり、携帯用電子機器の形状に適したカバーを提供することを目的とする。
【課題を解決するための手段】
【０００５】
＜１．第１のカバー＞
本開示に係る第１のカバーは、矩形状に形成され、第１主面と、当該第１主面とは反対側において矩形状に形成された第２主面と、前記第１主面及び第２主面の周縁部同士を連結し、上縁面、下縁面、及び一対の側縁面を有する周縁面と、を備え、前記第１主面から突出する少なくとも１つのジョイスティックと、前記上縁面のうち、前記一対の側縁面側部分のそれぞれに設けられ、前記第２主面側に突出する操作部と、前記第２主面から突出し前記各操作部の前記下縁面側に位置する突出部と、有する携帯型電子機器、を収容するカバーであって、前記第１主面を覆う前カバーと、前記第２主面を覆う後カバーと、前記前カバー及び後カバーを接続する接続部と、を備え、前記携帯型電子機器を収容可能な内部空間を形成するように、前記後カバーに対して前記前カバーを閉じる閉状態と、前記後カバーに対して前記前カバーが開いた開状態と、を取り得るように、前記接続部が前記前カバー及び後カバーを接続し、前記前カバーは、前記閉状態において、前記第１主面と対向する内面と、当該内面とは反対側の外面と、を有し、前記前カバーの内面は、前記閉状態において、前記ジョイスティックと対応する位置に、当該ジョイスティックの少なくとも一部を覆うように形成された窪み部を備え、前記前カバーの外面は、前記窪み部の反対側の位置に形成され、膨出する膨出部を備え、前記後カバーは、前記第２主面を覆う第１基部と、前記第１基部の周縁から延び、前記各突出部を、前記下縁面側から覆う延在部と、を備え、前記閉状態において、前記前カバーと後カバーとの間に、前記操作部を外部に露出させる開口が形成されている。
【０００６】
第１のカバーによれば、前カバーの内面に、前記ジョイスティックの少なくとも一部を覆うように窪み部が形成されているため、ジョイスティックに不要な負荷が作用するのを抑制することができる。その一方で、前カバーの外面において、窪み部の反対側の位置を含むように膨出部が形成されており膨出部以外の外面の少なくとも一部は携帯型電子機器の第１主面に膨出部よりも近接する。このように、前カバーは、ジョイスティックが設けられている位置が膨出しているため、ジョイスティックに不要な負荷が作用するのを避けつつ、全体としてコンパクトにすることができる。すなわち、携帯用電子機器の形状に適したカバーを提供することができる。
【０００７】
また、上記のように突出部を覆う延在部を設けることで、ゲーム装置の突出部を保護することができる。また、延在部を設けることで、カバーの何れが上側であるかを容易に視認することができる。
【０００８】
各操作部は、携帯用電子機器の第２主面から突出しているため、例えば、前カバーがこれらの操作部も覆うように設けられると、前カバーを開く際に、これらの操作部に引っかかりやすくなり、前カバーが開きにくくなるおそれがある。また、前カバーを開く際に、これらの操作部との干渉を抑制するため、接続部を長く形成することも考えられるが、このようにすると、開状態において、前カバーが後カバーからかなり垂れ下がり携帯用電子機器の操作時に邪魔になるおそれがある。これに対して、上記のように開口を形成し、操作部を露出させれば、操作部に前カバーが干渉することを抑制でき、前カバーを開きやすくすることができる。また、接続部を長くする必要がなく、携帯用電子機器の操作性が悪化することを抑制することができる。
【０００９】
なお、前カバーは、主として第１主面を覆うが、付加的にゲーム装置の周縁面を覆うように構成することもできる。この点は、後カバーにおいても同じである。したがって、周縁面は、前カバーのみで覆われる場合、後カバーのみで覆われる場合、及び前カバー及び後カバーの両方で覆われる場合がある。また、上記のように、閉状態において前カバーと後カバーとの間には、操作部が露出する開口が形成される。また、ゲーム装置の周縁面は、上縁面、下縁面、及び一対の側縁面で構成されているが、例えば、上縁面と一方の側壁面との間に面取り部のような隅面を形成することもできる。すなわち、少なくとも、外形上、上縁面、下縁面、及び一対の側縁面と判別できる面が設けられていればよい。なお、上縁面と側壁面との間にそれぞれ隅面が形成され、各隅面に操作部が形成されている場合には、操作部が形成されている隅面は、上縁面に含まれる。
【００１０】
上記第１のカバーでは、前記閉状態において、前記前カバーの内面と前記第１主面との間に隙間が形成されるように構成することができる。
【００１１】
この構成によれば、前カバーの内面と第１主面との間に隙間が形成されているため、例えば、ジョイスティックや、ボタン、ディスプレイに、前カバーによって不要な負荷がかかるのを抑制することができる。
【００１２】
上記第１のカバーにおいて、前記後カバーは、前記第１基部の周縁から起立し、前記携帯型電子機器の周縁面のうち、前記下縁面及び一対の側縁面の少なくとも一部に接触可能な第１側壁部、を備えることができ、当該第１側壁部の少なくとも一部は、前記下縁面及び一対の側壁面の少なくとも一部に係合可能に構成され、前記接続部は、前記閉状態において、前記携帯型電子機器の前記上縁面を覆う位置に配置されるように構成することができる。
【００１３】
この構成によれば、後カバーの第１側壁部によって携帯型電子機器を固定することができる。特に、携帯用電子機器の下縁面が第１側壁部に接すれば、例えば、携帯型電子機器の下縁面を鉛直方向の下方に向けた状態で操作する場合には、操作中に携帯型電子機器が後カバーから下方に離脱するのを抑制することができる。さらに、接続部は、閉状態において、携帯型電子機器の上縁面を覆う位置に配置される。したがって、カバーの上縁部からの携帯型電子機器の離脱も抑制することができる。
【００１４】
なお、第１基部において、第１側壁部が起立していない箇所には、壁部を設けないようにしてもよいし、例えば、第１側壁部よりも低い壁部を設けることもできる。すなわち、例えば、携帯型電子機器の周縁面の上縁面側には壁部が設けられなくともよく、第１基部が延在するのみであってもよい。あるいは、第１側壁部よりも低い壁部が設けられてもよい。
【００１５】
上記第１のカバーにおいて、前記前カバーは、前記携帯型電子機器の第１主面を覆う板状の第２基部と、前記第２基部の周縁から起立し、前記携帯型電子機器の周縁面のうち、少なくとも、前記下縁面及び一対の側縁面の一部を覆う第２側壁部と、を備え、前記閉状態においては、前記後カバーの側壁部の先端面と、前記前カバーの第２側壁部の先端面とが、接触するように構成することができる。
【００１６】
この構成によれば、両カバーの側壁部の先端面同士が接するように構成されているため、カバーを簡単に閉状態にすることができる。なお、例えば、カバーがシート材によって覆われている場合には、シート材に覆われた先端面同士が接触する。このように、先端面同士の間にシート材などの介在物が存在したとしても、先端面同士が接触すると言える。
【００１７】
上記第１のカバーにおいて、前記携帯型電子機器の前記下縁面には、少なくとも１つのスピーカ孔が形成されており、前記後カバーの前記第１側壁部において、前記下縁面と対向する部分のうち、前記スピーカ孔と対向する位置に、前記開状態において前記スピーカ孔が外部に露出される切り欠き部を形成することができる。
【００１８】
この構成によれば、携帯型電子機器のスピーカ孔に対応する位置に、開状態において、このスピーカ孔を外部に露出させる切り欠き部が形成されている。そのため、スピーカ孔が側壁部によって塞がれることが抑制され、開状態においては、切り欠き部を介して外部に露出するため、スピーカ孔から出力される音を聞き取りやすくすることができる。
【００１９】
上記第１のカバーにおいて、前記後カバーの前記第１側壁部は、前記一対の側縁面と対向する一対の側縁部と、前記下縁面と対向する下縁部と、を備えることができ、前記第１側壁部の起立方向の略中央付近においては、前記側縁部の肉厚を前記下縁部の肉厚よりも薄くすることができる。
【００２０】
この構成によれば、次の効果を得ることができる。例えば、携帯型電子機器がゲーム装置である場合、カバーを開状態にし、ゲーム装置をカバーに収容したままでゲームを行うことがある。この場合、ユーザは、第１側壁部の側縁部を介して、ゲーム装置の両側縁面を把持することになる。このとき、各側縁部の肉厚が大きすぎると、ユーザが違和感を感じるおそれがある。そこで、各側縁部の肉厚を下縁部の肉厚よりも薄くすることで違和感を抑制しつつ、下縁部の肉厚は相対的に厚くすることでゲーム装置を下方から安定的に支えることができる。
【００２１】
上記第１のカバーにおいて、前記前カバーの肉厚は、前記後カバーの前記第１基部の肉厚よりも厚くすることができる。
【００２２】
この構成によれば、次の効果を得ることができる。後カバーの第１基部は、携帯用電子機器が固定されるため、変形が生じがたいが、前カバーの第２基部は、少なくとも開状態では、携帯用電子機器に接しないため、変形が生じるおそれがある。そこで、前カバーの第２基部の肉厚は、後カバーの第１基部の肉厚よりも厚くし、変形が生じるのを抑制している。一方、後カバーの第１基部は、肉厚が薄くても変形が生じ難い。したがって、後カバーの第１基部の肉厚は、前カバーの第２基部の肉厚よりも薄くてもよく、これによって、軽量化を図ることができる。
【００２３】
より具体的には、例えば、前記前カバーは、前記携帯型電子機器の第１主面を覆う第２基部と、前記第２基部の周縁から起立し、前記携帯型電子機器の周縁面のうち、少なくとも、前記下縁面及び一対の側縁面の一部を覆う第２側壁部と、を備えることができ、前記第２基部の肉厚は、戦記第１基部の肉厚よりも厚くすることができる。
【００２４】
上記第１のカバーにおいて、前記延在部は、前記操作部において前記第２主面から最も突出する先端部よりも、前記基部から突出しているものとすることができる。
【００２５】
この構成によれば、携帯型電子機器を収容した状態では、延在部が操作部よりも突出しているため、後カバーを机などの所定の面に載置したときには、延在部が所定の面に接し、操作部が接するのを抑制することができる。したがって、載置状態において、操作部に不要な負荷がかかるのを抑制することができる。
【００２６】
＜２．第２のカバー＞
本開示に係る第２のカバーは、以下の通り構成される。
矩形状に形成され、第１主面と、当該第１主面とは反対側において矩形状に形成された第２主面と、前記第１主面及び第２主面の周縁部同士を連結し、上縁面、下縁面、及び一対の側縁面を有する周縁面と、を備えた携帯型電子機器、を収容するカバーであって、
前記第１主面を覆う前カバーと、
前記第２主面を覆う後カバーと、
前記前カバー及び後カバーを接続する接続部と、
を備え、
前記携帯型電子機器を収容可能な内部空間を形成するように、前記後カバーに対して前記前カバーを閉じる閉状態と、前記後カバーに対して前記前カバーが開いた開状態と、を取り得るように、前記接続部が前記前カバー及び後カバーを接続し、
前記後カバーは、
前記携帯型電子機器の第２主面を覆う第１基部と、
前記第１基部の周縁から起立し、前記携帯型電子機器の周縁面のうち、前記下縁面及び一対の側縁面の少なくとも一部に接触可能な第１側壁部と、
を備え、
当該第１側壁部の少なくとも一部は、前記下縁面及び一対の側壁面の少なくとも一部に係合可能に構成され、
前記接続部は、前記閉状態において、前記携帯型電子機器の前記上縁面を覆う位置に配置されるように構成されている。
【００２７】
第２のカバーによれば、後カバーの第１側壁部によって、携帯型電子機器を固定することができる。特に、携帯用電子機器の下縁面が第１側壁部に接すれば、例えば、携帯型電子機器の下縁面を鉛直方向の下方に向けた状態で操作する場合には、操作中に携帯型電子機器が後カバーから離脱するのを抑制することができる。さらに、接続部は、閉状態において、携帯型電子機器の上縁面を覆う位置に配置される。したがって、カバーの上縁部からの携帯型電子機器の離脱も抑制することができる。以上より、本開示に係る第２のカバーは、携帯用電子機器の形状に適したものとなる。
【００２８】
上記第２のカバーにおいて、前記後カバーの前記第１側壁部は、前記一対の側縁面と対向する一対の側縁部と、前記下縁面と対向する下縁部とを備え、前記第１側壁部の起立方向の略中央付近においては、前記側縁部の肉厚が前記下縁部の肉厚よりも薄いものとすることができる。
【００２９】
上記第２のカバーにおいて、前記前カバーは、
前記携帯型電子機器の第１主面を覆う第２基部と、
前記第２基部の周縁から起立し、前記携帯型電子機器の周縁面のうち、少なくとも、前記下縁面及び一対の側縁面の一部を覆う第２側壁部と、
を備え、
前記閉状態においては、前記後カバーの側壁部の先端面と、前記前カバーの第２側壁部の先端面とが、接触するように構成することができる。
【００３０】
上記第２のカバーでは、前記後カバーの前記第１側壁部において、前記携帯用電子機器の下縁面と対向する部分に、前記第１側壁面の先端面で開放される、少なくとも１つの第１切り欠き部を形成することができる。
【００３１】
上記第２のカバーにおいては、２対の前記切り欠き部を、前記第１側壁部に対称に形成することができる。
【００３２】
上記第２のカバーにおいて、前記第１側壁部には、磁石が嵌め込まれた第２切り欠き部を形成することができる。
【００３３】
上記第２のカバーにおいて、前記前カバーは、前記携帯型電子機器の第１主面を覆う第２基部を備え、前記前カバーの前記第２基部の肉厚は、前記後カバーの前記第１基部の肉厚よりも厚くすることができる。
【００３４】
＜３．第３のカバー＞
本開示に係る第３のカバーは、以下の通り構成される。
矩形状に形成された第１主面と、当該第１主面とは反対側において矩形状に形成された第２主面と、前記第１主面及び第２主面の周縁部同士を連結し、上縁面、下縁面、及び一対の側縁面を有する周縁面と、を備えた携帯型電子機器を収容するカバーであって、
前記第１主面を覆う前カバーと、
前記第２主面を覆う後カバーと、
前記前カバー及び後カバーを接続する接続部と、
を備え、
前記携帯型電子機器を収容可能な内部空間を形成するように、前記後カバーに対して前記前カバーを閉じる閉状態と、前記後カバーに対して前記前カバーが開いた開状態と、を取り得るように、前記接続部が前記前カバー及び後カバーを接続し、
前記後カバーは、
前記第２主面を覆う第１基部と、
前記閉状態において、前記前カバーとは反対側に、前記第１基部の周縁から延びる、一対の延在部と、
を備え、
前記各延在部と対応する箇所には、前記閉状態において、前記前カバーと後カバーとの間に、開口が形成されている、カバー。
【００３５】
上記第３のカバーによれば、携帯用電子機器の形状に適したものとなる。
【００３６】
上記第３のカバーにおいて、前記前カバーは、板状に形成され、前記閉状態において、前記第１主面と対向する内面と、当該内面とは反対側の外面と、を有し、
前記前カバーの内面は、少なくとも１つの窪み部を備え、
前記前カバーの外面は、前記窪み部と対応する部分に形成され、当該窪み部に沿うように膨出する膨出部を備えることができる。
【００３７】
上記第３のカバーにおいて、前記後カバーは、
前記携帯型電子機器の第２主面を覆う第１基部と、
前記第１基部の周縁から起立し、前記携帯型電子機器の周縁面と対向する第１側壁部と、
を備え、
前記後カバーの前記第１側壁部において、前記携帯用電子機器の下縁面と対向する部分には、前記第１側壁面の先端面で開放される、少なくとも１つの第１切り欠き部を形成することができる。
【００３８】
上記第３のカバーにおいて、前記第１側壁部には、磁石が嵌め込まれた第２切り欠き部を形成することができる。
【００３９】
＜４．第４のカバー＞
上記のように、従来は特許文献１のようなカバーが提案されているところ、近年は、単に携帯用電子機器を収容するだけでなく、デザイン性も要求されている。そこで、本開示に係る第４のカバーは、要望されるデザインに容易に対応できることを目的とする。
【００４０】
本開示に係る第４のカバーは、以下の通り構成される。
第１主面と、当該第１主面とは反対側において矩形状に形成された第２主面と、前記第１主面及び第２主面の周縁部同士を連結する周縁面と、を備えた携帯型電子機器、を収容するカバーであって、
前記第１主面を覆う前カバーと、
前記第１主面を覆う後カバーと、
前記前カバー及び後カバーを接続する接続部と、
を備え、
前記携帯型電子機器を収容可能な内部空間を形成するように、前記後カバーに対して相対的に前記前カバーを閉じる閉状態と、前記内部空間が外部に開放されるように、前記後カバーに対して相対的に前記前カバーが開いた開状態と、を取り得るように、前記接続部が前記前カバー及び後カバーを接続し、
前記前カバーは、前カバー部材を有し、
前記後カバーは、後カバー部材を有し、
前記前カバー及び後カバーは、前記前カバー部材及び後カバー部材の少なくとも一部をシート材によって覆うことで形成され、
前記接続部は、前記シート材の一部によって構成されている。
【００４１】
第４のカバーによれば、前カバー及び後カバーが、前カバー部材及び後カバー部材の少なくとも一部をシート材によって覆うことで形成されているため、シート材を変えるだけで、前カバー及び後カバーの外観のデザインを容易に変更することができる。したがって、要望されるカバーのデザインに容易に対応することができる。また、接続部がシート材の一部によって形成されているため、接続部が変形しやすくなり、前カバーを開きやすくすることができる。
【００４２】
上記第４のカバーにおいて、前記後カバー部材は、
前記携帯型電子機器の第２主面を覆う板状の第１基部と、
前記第１基部の周縁から起立し、前記携帯型電子機器の周縁面のうち、前記下縁面及び一対の側縁面の少なくとも一部に接触可能な第１側壁部と、
を備え、
当該第１側壁部の少なくとも一部は、前記下縁面及び一対の側壁面の少なくとも一部に係合可能に構成され、
前記接続部は、前記閉状態において、前記携帯型電子機器の前記上縁面を覆う位置に配置されるように構成することができる。
【００４３】
上記第４のカバーにおいて、前記前カバー部材は、
前記携帯型電子機器の第１主面を覆う第２基部と、
前記第２基部の周縁から起立し、前記携帯型電子機器の周縁面のうち、少なくとも、前記下縁面及び一対の側縁面の一部を覆う第２側壁部と、
を備え、
前記閉状態においては、前記後カバーの側壁部の先端面と、前記前カバーの第２側壁部の先端面とが、前記シート材を介して、接触するように構成することができる。
【００４４】
上記第４のカバーにおいては、前記後カバー部材の前記第１側壁部の先端面には磁石が設けられるとともに、当該磁石は、前記シート材によって覆われており、
前記前カバー部材の前記第２側壁部の先端面には磁石が設けられるとともに、当該磁石は、前記シート材によって覆われているものとすることができる。
【００４５】
上記第４のカバーにおいて、前記シート材は、
前記前カバー部材及び前記後カバー部材の少なくとも一方の外面の、少なくとも一部を覆う外面シートと、
前記前カバー部材及び前記後カバー部材の少なくとも一方の内面の、少なくとも一部を覆う内面シートと、
を備え、
前記接続部は、前記外面シートの一部と前記内面シートの一部が積層されて構成されているものとすることができる。
【００４６】
上記第４のカバーにおいて、前記内面シートは、前記前カバー部材及び前記後カバー部材の少なくとも一方の内面のみを覆うように構成することができる。
【００４７】
上記第４のカバーにおいて、前記外面シートは、前記前カバー部材及び後カバー部材の少なくとも一方の外面の縁部において折り返され、前記内面に延びるように形成され、
前記内面シートは、前記内面に延びる前記外面シートを覆うように形成することができる。
【００４８】
上記第４のカバーでは、前記前カバー部材及び後カバー部材の内面において、前記外面シートが前記内面シートに覆われている第１箇所は、他の第２箇所よりも窪んでおり、前記第１箇所に配置される前記外面シートと前記第２箇所とが面一になるように構成することができる。
【００４９】
上記第４のカバーにおいて、前記シート材は、
前記前カバー部材の少なくとも外面を覆う第１外面シートと、
前記後カバー部材の少なくとも外面を覆う第２外面シートと、
前記前カバー部材及び後カバー部材の内面を覆う内面シートと、
を備え、
前記第１外面シートの一部が延在されて前記接続部を構成するとともに、当該延在された部分が、前記後カバー部材の内面に固定され、
前記内面シートは、前記第１外面シートにおいて、前記後カバー部材に固定された部分を覆うように構成することができる。
【００５０】
この構成によれば、次の効果を得ることができる。
・第１外面シートが後カバー部材の外面でなく内面に延在して固定されるため、後カバーの外観がよくなる。また、開状態で携帯用電子機器を操作するときに、後カバーを把持するユーザが第１外面シートに触れにくくなり、手触りがよくなるという利点がある。
【００５１】
・後カバー部材の内面に到達した第１外面シートが、前カバーと後カバーとを一体的に覆う内面シートに覆われるため、内面の外観に一体感が生まれる。
【００５２】
・第１外面シートの延在部分である接続部が、後カバー部材で固定されるため、前カバーを開く際には、接続部は、後カバー側が支点となって開くため、この支点から、前カバーがきちんと垂れ下がりやすい。したがって、ユーザが、携帯用電子機器を操作しやすいという利点がある。仮に、第２外面シートが延在されて前カバー部材の内面で固定されるとすると、この前カバー部材に対する固定部が支点となって動作すると考えられる。そのため、前カバーは、まずは、この支点を軸に開くことになり、さらに前カバーを旋回させることで、ようやく前カバーと接続部とが一体となって開くと考えられる。そのため、前カバーが開きにくく、また、携帯用電子機器の操作中に前カバーが閉じようとしたり不安定になるおそれがあると考えられる。
【発明の効果】
【００５３】
上記第１のカバーによれば、携帯型電子機器の形状に適したものとすることができる。
【図面の簡単な説明】
【００５４】
【図１】本発明に係る携帯型電子機器の一実施形態であるゲーム装置を前側から見た斜視図である。
【図２】図１のゲーム装置を後側から見た斜視図である。
【図３】図１のゲーム装置の六面図である。
【図４】ゲーム装置が収容されたカバーを開状態にした斜視図である。
【図５】ゲーム装置が収容されたカバーを閉状態にした斜視図である。
【図６】後カバーを前側から見た斜視図である。
【図７】後カバー部材を後側から見た斜視図である。
【図８】後カバー部材の内面の平面図である。
【図９】図８のＡ−Ａ線断面図である。
【図１０】図８のＢ−Ｂ線断面図である。
【図１１】ゲーム装置の周縁面と後カバー部材の側壁部との係合状態を説明する断面図である。
【図１２】後カバーシートを貼り付けた後カバー部材の内面の平面図である。
【図１３】図１２のＣ−Ｃ線断面図である。
【図１４】前カバーを前側から見た斜視図である。
【図１５】開状態にある前カバー部材の斜視図。
【図１６】前カバーの内面の平面図である。
【図１７】図１６のＤ−Ｄ線断面図である。
【図１８】閉状態にあるカバーの断面図である。
【図１９】閉状態にあるカバーの断面図である。
【図２０】前カバーシートを貼り付けた前カバー部材の内面の平面図である。
【図２１】図２０のＥ−Ｅ線断面図である。
【図２２】図２０のＦ−Ｆ線断面図である。
【図２３】内側カバーシートを貼り付けた後カバー部材及び前カバー部材の内面の平面図である。
【図２４】ゲーム装置が収容されたカバーを閉状態にした断面図である。
【図２５】閉状態のカバーを後側から見た斜視図である。
【図２６】カバーの使用方法を説明する斜視図である。
【図２７】カバーの使用方法を説明する上面図である。
【図２８】カバーの使用方法を説明する斜視図である。
【発明を実施するための形態】
【００５５】
以下、本発明に係る携帯用電子機器の収納具について、図面を参照しつつ説明する。まず、本発明に係る携帯用電子機器の一実施形態である、ゲーム装置１について説明し、その後、このゲーム装置１を収容するカバー２について説明する。
【００５６】
＜１．ゲーム装置の概要＞
以下、本実施形態の一例に係るゲーム装置について説明する。図１はゲーム装置を前側から見た斜視図、図２はゲーム装置を後側から見た斜視図、図３はゲーム装置の六面図である。
【００５７】
図１〜図３に示すように、このゲーム装置１は、横長の略板状のハウジング１１を備える。ハウジング１１の形状および大きさは、任意であるが、一例として、ハウジング１１は、携帯可能な大きさであってよい。本実施形態において、ハウジング１１は、矩形状に形成された第１主面１０１、この第１主面１０１とは反対側の矩形状に形成された第２主面１０２、及び第１主面１０１及び第２主面１０２の周縁部同士を連結する周縁面１０３と、を備えている。また、第１主面１０１と周縁面１０３との連結部分、及び第２主面１０２と周縁面１０３との連結部分は、面取りが施されており、なめらかな曲面によって形成されている。
【００５８】
第１主面１０１は、ゲーム装置１の表側の面であり、後述するようにディスプレイ１２が設けられる面である。このハウジング１１の右端部及び左端部は、それぞれ右手及び左手で把持可能な形状とされている。すなわち、手で把持しやすくするため、第１主面１０１及び第２主面１０２の四隅は、円弧状に形成されており、この四隅の円弧に沿うように周縁面１０３も円弧状に形成されている。
【００５９】
以下では、図１の向きにしたがって、周縁面１０３が、上縁面１１３、下縁面１２３、右側縁面１３３、左側縁面１４３、右上隅面１５３、左上隅面１６３、右下隅面１７３、及び左下隅面１８３によって構成されているものとする。また、この名称にしたがって、ハウジング１１の部位、及び後述するカバー２の各部位を示す際に、上縁面１１３、下縁面１２３、右側縁面１３３、左側縁面１４３、右上隅面１５３、左上隅面１６３、右下隅面１７３、及び左下隅面１８３と対応する部位を、それぞれ、上縁部、右側縁、左側縁、下縁、右上隅部、左上隅部、右下隅部、及び左下隅部と称することがある。
【００６０】
第１主面１０１の中央には、矩形状のディスプレイ１２が設けられ、その右側に右側操作領域１１１、左側に左側操作領域１２１が設けられている。ディスプレイ１２は、ゲーム装置１が生成した画像を表示する。本実施形態においては、ディスプレイ１２は、液晶表示装置（ＬＣＤ）とする。ただし、ディスプレイ１２は任意の種類の表示装置であってよい。
【００６１】
また、ゲーム装置１は、ディスプレイ１２の画面上にタッチパネルを備える。本実施形態においては、タッチパネルは、マルチタッチ入力が可能な方式（例えば、静電容量方式）のものである。ただし、タッチパネルは、任意の種類のものであってよく、例えば、シングルタッチ入力が可能な方式（例えば、抵抗膜方式）のものであってもよい。
【００６２】
次に、左側操作領域１２１について説明する。左側操作領域１２１の上部には、ジョイスティックジョイスティック３２（アナログティックともいう）が設けられている。このジョイスティック３２は、方向を入力することが可能な方向入力部として用いることができる。ユーザは、ジョイスティック３２を傾倒することによって傾倒方向に応じた方向の入力（および、傾倒した角度に応じた大きさの入力）が可能である。なお、方向入力部として、ジョイスティックに代えて、スライド入力が可能なスライドスティック等を備えるようにしてもよい。また、本実施形態においては、ジョイスティック３２を押下する入力が可能である。
【００６３】
また、左側操作領域１２１には、各種操作ボタンを備える。すなわち、左側操作領域１２１には、ジョイスティック３２の下方に、方向入力部としても使用可能な十字キー３３を備える。さらに、ジョイスティック３２の上方には、−（マイナス）ボタン４７、十字キー３３の下方には、録画ボタン３７が設けられている。
【００６４】
また、周縁面１０３の左上隅面１６３には、この隅面に沿って円弧状に延びるＬボタン３８が設けられ、さらにこのＬボタン３８の第２主面１０２側には、ＺＬボタン３９が設けられている。ＺＬボタン３９は、第２主面１０２から後方に突出するとともに、上方から押し込み可能となっている。そして、このＺＬボタン３９の下方には突出部３４が形成されている。この突出部３４は、第２主面１０２から突出する部位でありＺＲボタン３９から下方にいくにしたがって第２主面１０２に向かう傾斜面を有している。
【００６５】
次に、右側操作領域１１１について説明する。右側操作領域１１１の上下方向の中央部には、方向入力部としてジョイスティック５２を備える。なお、上下方向において、ジョイスティック５２はジョイスティック３２よりも少なくとも下方に位置する。本実施形態においては、ジョイスティック５２は、左側操作領域１２１のジョイスティック３２と同じ構成である。また、ジョイスティック５２に代えて、十字キーまたはスライド入力が可能なスライドスティック等を備えるようにしてもよい。また、ジョイスティック５２の上方には、４つの操作ボタン５３〜５６（具体的には、Ａボタン５３、Ｂボタン５４、Ｘボタン５５、およびＹボタン５６）を備える。さらに、４つの操作ボタン５３〜５６の上方には、＋（プラス）ボタン５７、ジョイスティック５２の下方には、ホームボタン５８を備える。
【００６６】
また、周縁面１０３の右上隅面１５３には、この隅面に沿って円弧状に延びるＲボタン５０が設けられ、さらにこのＲボタン５０の第２主面側には、ＺＲボタン５１が設けられている。ＺＲボタン５１は、第２主面から後方に突出するとともに、上方から押し込み可能となっている。そして、このＺＲボタン５１の下方には突出部３５が形成されている。この突出部３５は、第２主面１０２から隆起する部位でありＺＲボタン５１から下方にいくにしたがって第２主面１０２に向かう傾斜面を有している。
【００６７】
以上の操作ボタン等は、ゲーム装置１で実行される各種プログラム（例えば、ＯＳプログラムやアプリケーションプログラム）に応じた指示を行うために用いられる。
【００６８】
次に、ハウジング１１の上縁面１１３について説明する。上縁面１１３には、左から右に向かって並ぶ、電源ボタン２８、音量ボタン２９、排気口３７、音声入出力端子２５、及びスロット２３が設けられている。音量ボタン２９は、後述するスピーカ孔１１ａ，１１ｂから発せられる音量を調整するものであり、排気口３７は、ハウジング１１内部の後述するプロセッサを冷却した空気が排気される孔である。また、音声入出力端子２５は、外部スピーカを接続したり、イヤホンの端子を接続する端子である。
【００６９】
スロット２３は、所定の種類の記憶媒体を装着可能な形状を有する。所定の種類の記憶媒体は、例えば、ゲーム装置１およびそれと同種の情報処理装置に専用の記憶媒体（例えば、専用メモリカード）である。所定の種類の記憶媒体は、例えば、ゲーム装置で利用されるデータ（例えば、アプリケーションのセーブデータ等）、および／または、ゲーム装置１で実行されるプログラム（例えば、アプリケーションのプログラム等）を記憶するために用いられる。
【００７０】
続いて、ハウジング１１の下縁面１２３について説明する。下縁面１２３の左右方向の中央付近には、下側端子２７を備える。下側端子２７は、ハウジング１１が、図示を省略するクレードルと通信を行うための端子である。本実施形態において、下側端子２７は、ＵＳＢコネクタ（より具体的には、メス側コネクタ）である。ハウジング１１をクレードルに載置した場合、ゲーム装置１が生成して出力する画像を据置型モニタに表示することができる。また、この下側端子２７には、後述するように、ハウジング１１に内蔵された図示を省略するバッテリが接続されており、この下側端子２７を介してゲーム装置１に電力が供給された場合、供給された電力がバッテリに充電される。
【００７１】
下縁面１２３の左右方向の両側には、第１主面１０１と近接する位置に、スピーカ孔１１ａおよび１１ｂが形成されている。ハウジング１１の内部には、図示を省略するスピーカが内蔵されており、スピーカの出力音は、これらのスピーカ孔１１ａおよび１１ｂからそれぞれ出力される。
【００７２】
また、図示を省略するが、ハウジング１１の内部には、ゲーム装置を駆動するための、バッテリ、プロセッサ（例えば、ＣＰＵ、ＧＰＵを含むＳｏＣ等）、フラッシュメモリ、ＤＲＡＭ等の各種電子部品等が配置されており、これらのいくつかが電子回路基板上に実装されてハウジング１１内に収納されてもよい。また、ハウジング１１の内部の電子部品は、上述したようなハウジング１１の外部に露出するディスプレイ１２、タッチパネル、各種ボタン、端子等と電気的に接続されて、これらを制御するように構成されている。また、必要に応じて、ハウジング１１には、角速度センサ、加速度センサなどの各種センサや、カメラ等を内蔵することができる。
【００７３】
さらに、第２主面１０２の下縁面１２３側には、一対の吸気口５９が形成されている。各吸気口５９は、左右方向に延びる溝状に形成されている。これら吸気口５９から、プロセッサを冷却する空気が吸引される。
【００７４】
＜２．カバー＞
次に、本実施形態に係るカバー２について、図面を参照しつつ説明する。図４は上述したゲーム装置を収容したカバーの開状態を示す斜視図、図５はカバーの閉状態を示す斜視図である。以下では、まず、このカバー２を構成する各パーツと、その組み立てについて説明し、その後、組み立てられたカバーの全体構成及び使用方法について説明する。
【００７５】
＜２−１．カバーを構成するパーツ＞
本実施形態に係るカバー２は、前カバー部材４、後カバー部材６、主として後カバー部材４を覆う前カバーシート７１、主として前カバー部材６を覆う後カバーシート７２、及び両カバー部材４，６の内面を覆う内側カバーシート７３によって構成されている。以下、各パーツについて詳細に説明する。なお、以下の説明では、カバーが閉状態にあるときに、カバー２においてゲーム装置１が収容される内部空間側を向く面を内面、カバー２において外部を向く面を外面と称することとする。また、カバー２及び各パーツは、説明の便宜のため、図５の向きを基準として説明する。すなわち、カバーが閉状態にあるときの向きを基準に説明を行うが、本発明は、この向きには限定されない。
【００７６】
＜２−１−１．後カバー部材＞
図６は後カバー部材を前側から見た斜視図、図７は後カバー部材を後側から見た斜視図、図８は後カバー部材の内面の平面図及び一部拡大図、図９は図８のＡ−Ａ線断面図及び一部拡大図、図１０は図８のＢ−Ｂ線断面図、図１１は側壁部とゲーム装置との係合状態を説明する断面図である。図６〜図１１に示すように、後カバー部材４は、樹脂材料、金属などで構成されており、主としてゲーム装置１の第２主面１０２を覆う部材である。具体的には、後カバー部材４は、矩形状に形成された板状の基部４１と、この基部４１の周縁から延びる平面視Ｕ字状の側壁部４２とを備えている。そして、ゲーム装置１がカバー２に収容されたときには、基部４１がゲーム装置１の第２主面１０２に接し、側壁部４２が周縁面１０３に接するように構成されている。以下、側壁部４２及び基部４１について詳細に説明する。
【００７７】
まず、側壁部４２について説明する。図９に示すように、側壁部４２は、外側に凸となるように断面円弧状に形成されており、内面４０１、外面４０２、及びこれら内面４０１と外面４０２の先端を連結する端面４０３によって構成されている。また、図８に示すように、側壁部４２は、ゲーム装置１の下縁面１２３、右側縁面１３３、左側縁面１４３、右下隅面１７３、及び左下隅面１８３と対応する、下縁部４２１、右側縁部４２２、左側縁部４２３、右下隅部４２４、及び左下隅部４２５を備えている。すなわち、側壁部４２は、ゲーム装置１の上縁面１１３、右上隅面１５３、及び左上隅面１６３に対応する部分は設けられておらず、開放されている。したがって、後述するように、ゲーム装置１を後カバー４００に収容する際には、この開放された部分からゲーム装置１を収容できるようになっている。
【００７８】
下縁部４２１の左右方向の中央付近には、台形状の第１後切り欠き部４３１が形成されている。この第１後切り欠き部４３１は、おおよそ基部４１まで達しており、この第１後切り欠き部４３１から収容されたゲーム装置１の下側端子２７が外部に露出するようになっている。また、この下縁部４２１において、第１後切り欠き部４３１の両側には、それぞれ２個ずつの切り欠き部、つまり第２及び第３後切り欠き部４３２，４３３が形成されている。第２後切り欠き部４３２は、第１後切り欠き部４３１に隣接し、第３後切り欠き部４３３は、第２後切り欠き部４３２よりも側縁部４２２，４２３側に形成されている。より詳細に説明すると、第２及び第３後切り欠き部４３２，４３３は、それぞれ、下縁部４２１に沿って延びるように形成されている。また、図８の拡大図に示すように、第２及び第３後切り欠き部４３２，４３３は、下縁部４２１の端面４０３及び内面４０１において開放される断面矩形状に形成され、これら各後切り欠き部４３２，４３３には、直方体状の磁石４５が配置される。
【００７９】
磁石４５は、これら後切り欠き部４３２，４３３に収まる形状であり、接着剤によって各後切り欠き部４３２，４３３に固定される。したがって、磁石４５は、下縁部４２１の端面４０３及び内面４０１において露出するように配置される。
【００８０】
また、各第３後切り欠き部４３３よりも側縁部４２２，４２３側には、第４切り欠き部４３４が形成されている。各第４後切り欠き部４３４は、ゲーム装置１の各スピーカ孔１１ａ，１１ｂに対応する位置に配置されている。より詳細に説明すると、第４後切り欠き部４３４は、それぞれ、下縁部４２１の端面４０３に沿って延びるように形成されている。また、第４後切り欠き部４３４は、下縁部４２１の端面４０３及び内面４０１において開放される断面円弧状に形成されている。これら第４後切り欠き部４３４により、収容されたゲーム装置１のスピーカ孔１１ａ，１１ｂは下縁部４２１によって塞がれずに、開状態において外部に露出するようになっている。そして、スピーカ孔１１ａ，１１ｂからの音は、第４後切り欠き部４３４を通過して、外部に発せられるようになっている。
【００８１】
図１１に示すように、側壁部４２の高さは、ゲーム装置１の周縁面１０３の高さの概ね２／３程度である。すなわち、ゲーム装置１が収容されたとき、ゲーム装置１の周縁面１０３の最外部、つまり円弧の頂部Ｐよりもやや前側まで延びている。これにより、側壁部４２において、ゲーム装置１の周縁面１０３の最外部Ｐよりも前側の部分が抜け止めとなり、後述するように、カバー２において、ゲーム装置１が後カバーから離脱しないようになっている。
【００８２】
次に、側壁部４２の肉厚について説明する。側壁部４２のうち、右側縁部４２２及び左側縁部４２３の肉厚は、下縁部４２１、右下隅部４２４及び左下隅部４２５の厚みよりも小さくなっている。これは、右側縁部４２２及び左側縁部４２３は、ユーザが把持するゲーム装置１の右端部及び左端部に対応する位置だからである。つまり、後述するように、ゲーム装置１が、カバー２に収容されたままでゲームを行う場合には、ユーザは、右側縁部４２２及び左側縁部４２３を介してゲーム装置１の右端部及び左端部を把持することになる。このとき、右側縁部４２２及び左側縁部４２３の肉厚が大きすぎると、ユーザが違和感を感じるため、右側縁部４２２及び左側縁部４２３の肉厚は、小さくしており、例えば、１．０ｍｍ〜２．５ｍｍ程度としてもよく、さらに、１．６〜１．８ｍｍ程度としてもよい。
【００８３】
一方、下縁部４２１は、上記のように後切り欠き部４３１〜４３４が形成されるため、これら後切り欠き部４３１〜４３４が形成されても強度を保つことができるように、右側縁部４２２及び左側縁部４２３よりも肉厚を大きくしており、例えば、１．５〜３．３ｍｍ程度してもよく、さらに、２．０〜２．５ｍｍとすることができる。また、右下隅部４２４及び左下隅部４２５の肉厚は、下縁部４２１から右側縁部４２２及び左側縁部４２３へいくにしたがって、徐々に小さくなるように形成されている。なお、後述の通り、後カバー部材４は、後カバーシート７１で覆っても良く、このときには、上記両側縁部４２２，４２３及び下縁部４２１の肉厚は、後カバーシート７１も含めた厚みが上記の範囲となるようにしてもよい。
【００８４】
次に、基部４１について説明する。上記のように、基部４１は、ゲーム装置１の第２主面１０２に接するように構成されている。また、基部４１において、ゲーム装置１の右上隅面１５３及び左上隅面１６３に対応する位置には、図１０に示すように、後側に延びる延在部４４１、４４２がそれぞれ連結されている。各延在部４４１、４４２は、ゲーム装置１の第２主面１０２に形成された突出部３４，３５を覆うような曲面により形成されており、さらにＺＲボタン５１及びＺＲボタン３９の後縁よりもやや後側まで延びている。したがって、後述する図２７に示すように、ゲーム装置１が収容された状態で、後カバーを設置面に載せたときには、各延在部４４１，４４２の後縁が設置面に接し、ＺＬボタン３９及びＺＲボタン５１が設置面に接するのを抑制するようになっている。
【００８５】
また、ユーザがカバー２に収容されたゲーム装置１の両端部を把持する際に、延在部４４１、４４２に指を引っ掛けることができるため、把持しやすいという利点がある。さらに、図７及び図８に示すように、延在部４４１、４４２の縁部４４１ａ，４４１ｂは、なめらかな曲線によって構成されている。これによって、ゲームのプレイ時に、ユーザの指が延在部の縁部に触れたときの、不快感を抑制することができる。
【００８６】
また、基部４１には、ゲーム装置１が収容されたとき、その第２主面１０２に形成された一対の吸気口５９に対応する位置に、貫通孔４１１が形成されている。各貫通孔４１１は、吸気口５９に合わせた形状、つまり幅が細く、左右方向に延びる溝状に形成されており、基部４１を貫通して外部に開放されている。
【００８７】
さらに、図８及び図９の拡大図に示すように、側壁部４２の内面には、基部４１との境界に沿って延びる第１薄肉部４２８が形成されている。これにより、第１薄肉部４２８と基部４１との境界、及び第１薄肉部４２８と、これよりも端面４０３側の領域（以下、端部領域４２９という）との境界には段差が形成されている。この第１薄肉部４２８には、後述するように、前カバーシート７１が配置され、このときに、前カバーシート７１と基部４１とが面一になるように、第１薄肉部４２８の深さが調整されている。
【００８８】
また、図８に示すように、基部４１の内面において、上縁部に沿う領域には、第２薄肉部４１２が形成されている。これにより、第２薄肉部４１２と、これよりも下縁部側の領域（以下、内部領域４１３という）との境界には段差が形成されている。この第２薄肉部４１２には、後述するように、前カバーシート７１及び後カバーシート７２がこの順で積層され、このときに、前カバーシート７２と基部４１の内部領域４１３とが面一になるように、第２薄肉部４１２の深さが調整されている。
【００８９】
＜２−１−２．後カバーシート＞
次に、後カバーシート７１について説明する。後カバーシート７１は、樹脂製のシート、織布などにより形成され、後カバー部材４の外面４０２及び端面４０３の全体と、内面４０１の一部に貼り付けられる。特に、後カバーシート７１を織布によって形成すると、カバー２を手で把持したときに滑りにくく、さらに指紋が付着しにくいという利点がある。
【００９０】
図１２は後カバーシートで覆われた後カバー部材の内面の平面図、図１３は図１２のＣ−Ｃ線断面図である。図１２では、後カバーシート７１をグレーで示している。図１２及び図１３に示すように、後カバーシート７１は、後カバー部材４の外面４０２を覆い、さらに、側壁部４２の端面４０３で折り返され、内面４０１側へ延びている。そして、第１薄肉部４２８を含む側壁部４２を覆うように延びている。また、基部４１の上縁部においても折り返され、延在部４４１，４４２の内面及び第２薄肉部４１２を覆うように延びている。したがって、後カバーシート７１は、後カバー部材４において、概ね、基部４１の内部領域４１３以外の全てを覆うように構成されている。なお、後カバーシート７１は、ホットメルトなどの接着剤、両面テープなどによって、後カバー部材４に接着することができる。
【００９１】
＜２−１−３．前カバー部材＞
次に、前カバー部材について、図１４〜図１９を参照しつつ説明する。図１４は前カバー部材を前側から見た斜視図、図１５は開状態にある前カバー部材の斜視図、図１６は開状態にある前カバー部材内面の平面図、図１７は図１６のＤ−Ｄ線断面図及び一部拡大図、図１８及び図１９は閉状態にあるカバーの断面図である。なお、図１５及び図１６は、カバーを開状態にしたと仮定したときに前側から見た図であるため、図面の向きは、図５の基準に対し上下が逆になる。  
【００９２】
図１４〜図１９に示すように、前カバー部材６は、樹脂材料、金属などで構成されており、主としてゲーム装置１の第１主面１０１を覆う部材である。具体的には、前カバー部材６は、矩形状に形成された板状の基部６１と、この基部６１の周縁から延びる平面視枠型の側壁部６２とを備えている。以下、側壁部６２及び基部６１について詳細に説明する。
【００９３】
まず、側壁部６２について説明する。図１７に示すように、側壁部６２は、外側に凸となるように断面円弧状に形成されており、内面６０１、外面６０２、及びこれら内面６０１と外面６０２の先端を連結する端面６０３によって構成されている。また、図１６に示すように、側壁部６２は、ゲーム装置１の下縁面１２３、上縁面１１３、右側縁面１３３、左側縁面１４３、右下隅面１７３、及び左下隅面１８３と対応する、上縁部６２１、下縁部６２２、右側縁部６２３、左側縁部６２４、右上隅部６２５、左上隅部６２６、右下隅部６２７、及び左下隅部６２８を備えている。すなわち、側壁部６２は、ゲーム装置１の周縁面１０３の全周を囲むように形成されている。
【００９４】
本実施形態においては、下縁部６２２には、閉状態において、後カバー部材４の第２及び第３後切り欠き部４３２，４３３と対応する位置に、これら第２及び第３後切り欠き部４３２，４３３と同形状の、第１前切り欠き部６３１及び第２前切り欠き部６３２がそれぞれ形成されている。より詳細に説明すると、第１及び第２前切り欠き部６３１，６３２は、それぞれ、下縁部６２２に沿って延びるように形成されている。また、図１６の拡大図に示すように、第１及び第２前切り欠き部６３１，６３２は、下縁部６２２の端面６０３及び内面６０１において開放される断面矩形状に形成され、これら各前切り欠き部６３１，６３２には、上述した磁石４５と同形状の直方体状の磁石６５が配置される。磁石６５は、接着剤によって各切り欠き部６３１，６３２に固定される。したがって、磁石６５は、下縁部６２２の端面６０３及び内面６０１において、露出するように配置される。そして、閉状態では、後カバー４の磁石４５と前カバー６の磁石６５とが対向する位置に配置されるため、これら磁石４５，４６の磁力によって、閉状態が維持される。
【００９５】
さらに、図１６及び図１７の拡大図に示すように、側壁部６２における上縁部６２１以外の内面６０１には、端面６０３から延びる、肉厚の薄い薄肉部６３３が形成されている。これにより、側壁部６２の上縁部６２１以外の内面６０１において、薄肉部６３３とそれよりも内側の領域（以下、内部領域６３４という）との境界には段差が形成されている。なお、側壁部の上縁部６２１の内面には、薄肉部は形成されていない。また、薄肉部６３３の全体に亘って、内部領域６３４からの深さは同じである。後述するように、薄肉部６３３には、前カバーシート７２が配置され、前カバーシート７２が配置されたときに、内部領域６３４と前カバーシート７２の表面とが面一になるように、その深さが調整されている。
【００９６】
側壁部６２の高さは、次のように調整されている。すなわち、図１８に示すように、前カバー部材６の端面６０３と後カバー部材４の端面４０３同士が前カバーシート７２及び後カバーシート７１を介して接し、閉状態となったときに、ゲーム装置１の第１主面１０１と基部６１との間に隙間が形成され、且つ側壁部６２の内面６０１が前カバーシート７２及び内側カバーシート７３を介して、ゲーム装置１の周縁面１０３にわずかに接するように調整されている。したがって、閉状態のとき、側壁部６２の端面６０３は、ゲーム装置１の周縁面１０３の最外部、つまり円弧の頂部Ｐには達していない。したがって、前カバー部材６の側壁部６２は、後カバー部材４の側壁部４２とは異なり、抜け止めは構成していない。
【００９７】
なお、上縁部６２１の高さも、ゲーム装置１の上縁面１１３の最外部には達していない。さらに、他の側壁部６２の高さ以下の高さとされていてもよい。本実施形態においては、後カバー部材４の、ゲーム装置１の上縁面１１３に対応する位置には側壁部４２は設けられておらず、したがって、カバー２が閉状態となったときには、上縁部６２１の端面６０３はどこにも接していない。しかしながら、上縁部６２１の存在によって、前カバー６００を閉じる際の位置決めが容易となり、また、閉状態において前カバー６００がグラつくのを抑制できる。
【００９８】
また、閉状態のとき、側壁部６２の端面６０３と、後カバー部材４の側壁部４２の端面４０３とが、安定的に接するようにするため、図１８に示すように、前カバー部材６の側壁部６２の肉厚と、後カバー部材４の側壁部４２の肉厚は同じとされてもよい。
【００９９】
次に、基部６１について説明する。図１４〜図１９に示すように、基部６１の内面には、上述したジョイスティック３２，５２と対向する位置に窪み部６１１、６１２が形成されている。これら窪み部６１１、６１２によって、カバー２が閉状態のときに、基部６１の内面６０１がジョイスティック３２，５２と干渉するのが抑制される。各窪み部６１１、６１２は、平面視円形状に形成され、中心から周縁に向かって深さが緩やかに浅くなるように形成されている。そして、カバー２の閉状態においては、各ジョイスティック３２，５２の軸線の延長上に、窪み部６１１、６１２の中心が配置されるように構成されている。また、各窪み部６１１、６１２の周縁付近の一部は、側壁部６２の内面６０１にまで達している。以下では、説明の便宜のため、基部６１の内面６０１において、窪み部６１１、６１２が形成されている以外の領域をメイン領域６１３と称することとする。上記のように、カバー２が閉状態のとき、基部６１の内面６０１とゲーム装置１の第１主面１０１との間には隙間が形成されているが、これにより、メイン領域６１３は、ジョイスティック３２，５２以外の各種ボタン３３，３７，４７，５３〜５８と干渉するのが抑制される。但し、図１９に示すように、この隙間では、ジョイスティック３２，５２とは干渉してしまうため、ジョイスティック３２，５２と対応する位置には、窪み部６１１、６１２が形成されている。なお、窪み部６１１、６１２の形状は平面視円形状でなくともよい。このとき、カバー２の閉状態において、各ジョイスティック３２，５２の延長上または軸線の延長上に、窪み部６１１、６１２の最も深い箇所が配置されるように構成されてもよい。
【０１００】
一方、基部６１の外面６０２は、窪み部６１１、６１２と対応する部分が、メイン領域６１３と対応する部分から膨出している。すなわち、基部６１の外面６０２には、窪み部６１１、６１２の形状に沿うように、周縁から中心に向かって緩やかに高くなる膨出部６５１，６５２が形成されている。つまり、膨出部６５１，６５２は窪み部６１１，６１２の反対側に位置し、窪み部６１１，６１２と膨出部６５１，６５２とは、基部６１の表裏の位置関係にある。なお、膨出部６５１，６５２の形状は、窪み部６１１，６１２の形状に沿っていなくともよい。すなわち、膨出部６５１，６５２の形状は、窪み部６１１，６１２窪み部の形状と、例えば相似形でなくともよい。また、窪み部６１１，６１２の最も深い位置と、膨出部６５１，６５２の最も高い位置とが一致していなくてもよく、両者が概ね反対の位置にある限り、ずれていてもよい。
【０１０１】
＜２−１−４．前カバーシート＞
続いて、前カバーシート７２について、図２０及び図２１を参照しつつ説明する。前カバーシート７２は、樹脂製のシート、織布などにより形成されているが、織布であれば、後カバーシート７１において説明したのと同様の利点がある。なお、デザインの統一性の観点から、前カバーシート７２と後カバーシート７２とは同一の素材としてもよく、また、同一または関連するデザインとしてもよい。
【０１０２】
図２０は前カバーシートで覆われた前カバー部材の内面の平面図、図２１は図２０のＥ−Ｅ線断面図、図２２は図２０のＦ−Ｆ線断面図である。これらの図では、前カバーシート７２をグレーで示している。前カバーシート７２は、前カバー部材６を覆う第１部位７２１と、この第１部位７２１から後カバー部材側へ延びる第２部位７２２と、を備えている。第１部位７２１は、前カバー部材６の外面６０２を覆い、さらに、側壁部６２のうち、上縁部６２１以外の端面６０３で折り返され、内面６０１の薄肉部６３３を覆うように延びている。
【０１０３】
また、図２２に示すように、第１部位７２１において、側壁部６２の上縁部６２１と対応する部分は、上縁部６２１の外面６０２及び端面６０３を覆っている。そして、第１部位７２１において、上縁部６２１の端面６０３に対応する部分には、第２部位７２２が一体的に連結されている。第２部位７２２は、帯状に形成されている。より詳細には、第２部位７２２は、前カバー部材６の側壁部６２の上縁部６２１から突出し、その端部が、後カバー部材４の基部４１の第２薄肉部４１２を覆うように構成されている。第２部位７２２のうち、後カバー部材４を覆う部分以外は、前カバー部材６と後カバー部材４との間で延びる部分であり、この部分が、ゲーム装置１の上縁面１１３を覆うようになっている。このように、前カバーシート７２は、前カバー部材６において、概ね側壁部６２の内部領域６３４及び基部６１の内面以外の全てを覆い、さらに第２部位７２２が後カバー部材４まで延びるように構成されている。なお、前カバーシート７２は、ホットメルトなどの接着剤、両面テープなどによって、前カバー部材６に接着することができる。
【０１０４】
＜２−１−５．内側カバーシート＞
次に、内側カバーシート７３について、図２３及び図２４を参照しつつ説明する。内側カバーシート７３は、樹脂製のシート、織布、不織布などによって形成される。但し、内側カバーシート７３は、主として、ゲーム装置の第２主面１０２と接触し、第１主面１０１と接触し得るため、柔らかな材料で形成されてもよい。
【０１０５】
図２３は、後カバー部材及び前カバー部材に貼り付けられた内側カバーを示す平面図、図２４は閉状態にあるカバーの断面図である。なお、図２３では、前カバーシート７２及び後カバーシート７１を省略して示している。図２３に示すように、内側カバーシート７３は、前部７３１、中間部７３２、及び後部７３３を備え、これらが一体的に連結されるように形成されている。前部７３１は、前カバー部材６の概ね内面６０１全体を覆うように形成されている。すなわち、前部７３１は、薄肉部６３３に配置された前カバーシート７１を覆うようになっている。上記のように、薄肉部６３３には前カバーシート７２が積層され、薄肉部６３３と端部領域６３４との段差が埋められて面一になる。そのため、図２４に示すように、その上に貼り付けられる内側シート７３の前部７３１には段差が形成されない。
【０１０６】
中間部７３２は、前カバーシート７２の第２部位７２２とほぼ同じ形状に形成されており、第２部位７２２の内面を覆うようになっている。そして、後部７３３は、後カバー部材４の基部４１の内面４０１及び第１薄肉部４２８を覆うように構成されている。上記のように、第１薄肉部４２８には後カバーシート７１が積層され、薄肉部４２８と内側領域４１３との段差が埋められて面一になる。同様に、第２薄肉部４１２には後カバーシート７１及び前カバーシート７２がこの順で積層され、第２薄肉部４１２と内側領域４１３との段差が埋められて面一になる。そのため、図２４に示すように、その上に貼り付けられる内側シート７３の後部７３３には段差が形成されない。
【０１０７】
このように内側カバーシート７３が貼り付けられることで、後カバー部材４の側壁部４２の端部領域４２９、及び延在部４４１，４４２に貼り付けられた後カバーシート７１は露出するようになっている。また、後部７３３には、後カバー部材６の貫通孔４１１と対応する位置に、貫通孔７３４が形成されている。このように構成された内側カバーシートは、ホットメルトなどの接着剤、両面テープなどによって、前カバー部材６に接着することができる。
【０１０８】
＜２−２．カバーの組み立て方法＞
次に、上記のように構成されたカバーの組み立て方法について説明する。図２４は、まず、後カバー部材４の第２及び第３後切り欠き部４３２，４３３に磁石４５を接着剤により固定する。次に、図１２に示すように、この後カバー部材４に接着剤等によって後カバーシート７１を貼り付ける。このとき、後カバー部材４の第１切り欠き部４３１及び第４切り欠き部４３４に沿うように後カバーシート７１が貼り付けられる。なお、第２及び第３後切り欠き部４３２，４３３には、磁石４５が配置されているため、この磁石４５の外面に沿って後カバーシート７１が貼り付けられる。これにより、磁石４５は、後カバーシート７１によって覆われ、外部から見えないようになっている。後カバー部材４のその他の部分については、上述したとおりに、後カバーシート７１が貼り付けられる。
【０１０９】
続いて、前カバー部材６の第１及び第２前切り欠き部６３１，６３２に磁石６５を接着剤により固定する。次に、図２０に示すように、この前カバー部材６に接着剤等によって前カバーシート７２を貼り付ける。このとき、第１及び第２前切り欠き部６３１，６３２には、磁石６５が配置されているため、この磁石６５の外面に沿って前カバーシート７２が貼り付けられる。これにより、磁石６５は、前カバーシート７２によって覆われ、外部から見えないようになっている。前カバー部材６のその他の部分については、上述したとおりに、前カバーシート７２が貼り付けられる。第２部位７２２は、前カバー部材６の側壁部６２における上縁部６２１の端面から外部に延びている。なお、後カバー部材４及び前カバー部材６が、後カバーシート７１及び前カバーシート７２によって覆われることで、磁石４５，６５が逸失するおそれが抑制される。
【０１１０】
続いて、第２部位７２２の端部を、後カバー部材４の第２薄肉部４１２に貼り付ける。第２薄肉部４１２には、既に後カバーシート７１が貼り付けられているため、第２部位７２２は、この後カバーシート７１の上に貼り付けられる。これに続いて、図２３に示すように、内側カバーシート７３を貼り付ける。内側カバーシート７３は、上述したとおり、前カバー部材６の内面６０１全体、第２部位７２２の内面、及び後カバー部材４の基部４１及び第１薄肉部４２８に貼り付けられる。このとき、内側カバーシート７３は、後カバー部材４の第１薄肉部４２８に貼り付けられた後カバーシート７１、第２薄肉部４１２に貼り付けられた前カバーシート７２及び後カバーシート７１を覆うように貼り付けられる。こうして、図２４に示すように、カバー２が完成する。
【０１１１】
＜２−３．組み立て後のカバー＞
次に、組み立て後のカバーについて、図２５も参照しつつ説明する。図４及び図５に示すように、カバー２は、前カバー６００、後カバー４００、及び接続部７００によって構成されている。前カバー６００は、前カバー部材６と、前カバーシート７２及び内側カバーシート７３のうち、前カバー部材６を覆う部分と、によって構成される。後カバー４００は、後カバー部材４と、後カバーシート７１及び内側カバーシート７３のうち、後カバー部材４を覆う部分と、によって構成される。また、接続部７００は、前カバーシート７２の第２部位７２２において、前カバー部材６及び後カバー部材４からはみ出している部分と、このはみ出している部分に貼り付けられた内側カバーシート７３と、によって構成されている。
【０１１２】
したがって、このカバー２は、接続部７００がヒンジとなって、前カバー６００及び後カバー４００が閉状態及び開状態を取り得るように構成される。閉状態においては、前カバー６００、後カバー４００、及び接続部７００によって、ゲーム装置１を収容する内部空間が形成される。また、後カバーにおいて、延在部が設けられている部分には側壁部が設けられていないため、図２５に示すように、カバーが組み立てられ、閉状態にあるときには、接続部の両側に開口が形成される。そして、これら開口８０１，８０２からは、ゲーム装置１のＲボタン５０、ＺＲボタン５１、Ｌボタン３８、及びＺＬボタン３９が露出する。より詳細には、Ｒボタン５０、ＺＲボタン５１、Ｌボタン３８、及びＺＬボタン３９に対する押し操作が行われるボタン表面（換言すると、これらボタンの上側表面）の少なくとも一部が露出される。
【０１１３】
上記のように、前カバー６００は、前カバー部材６と前カバーシート７２、及び内側カバーシート７３によって構成されているが、以下では、説明の便宜のため、前カバー６００を構成する各部位は、前カバー部材６の部位として説明する。例えば、前カバー６００において、前カバー部材６の側壁部６２の端面６０３と対応する部分を、単に、「前カバー６００の端面６０３」と称することとする。この点は、後カバー４００においても同様である。
【０１１４】
＜２−４．カバーの使用方法＞
続いて、カバーの使用方法について説明する。まず、カバー２を開状態にする。カバー２を開状態にするには、接続部７００をヒンジとして前カバー６００を後カバー４００から旋回させる。接続部７００は、前カバーシート７２と内側カバーシート７３によって形成されているため、フレキシブルに変形可能である。したがって、前カバー６００は、後カバー４００の外面と接するまで、約３６０度の旋回が可能である。そして、後カバー４００の上縁部が開放されるまで、接続部７００及び前カバー６００を旋回させる。
【０１１５】
続いて、図２６に示すように、ゲーム装置１の下縁面１２３を、後カバー４００の上縁部と対応する位置に配置し、この状態から、ゲーム装置１を下方にスライドさせる。これにより、ゲーム装置１の周縁面１０３のうち、上縁面１１３、右上隅面１５３、及び左上隅面１６３以外の面が、後カバー４００の側壁部４２と接し、図４に示すように、ゲーム装置１が、後カバー４００に固定される。上述したように、後カバー４００の側壁部４２は抜け止めとして機能するため、例えば、後カバー４００を裏返してゲーム装置１を下方に向けてもゲーム装置１は離脱しない。なお、側壁部４２は樹脂材料等で形成され、弾性変形可能であるため、ゲーム装置１を側壁部４２の端面４０３上に配置し、そのまま基部４１に向かって後方へ、押し込めば、ゲーム装置１を後カバー４００の側壁部４２の内面に嵌め込むこともできる。
【０１１６】
こうして、ゲーム装置１を後カバー４００に固定した状態で、前カバー６００を閉じる。すなわち、前カバー６００を旋回し、前カバー６００の端面６０３と後カバー４００の端面４０３を磁石４５，６５によって吸着することで、前カバー６００と後カバー４００とを固定する。このとき、図２７に示すように、接続部７００は、ゲーム装置１の周縁面１０３の上縁面１１３の少なくとも一部を覆うため、その両側の開口８０１，８０２からＲボタン５０、Ｌボタン３８、ＺＲボタン５１、及びＺＬボタン３９が外部に露出するようになっている。こうして、ゲーム装置１が、カバー２に収容される。また、この状態でカバー２を設置面Ｔに載置したときには、延在部４４１，４４２が設置面Ｔに接し、ＺＲボタン５１及びＺＬボタン３９は、設置面Ｔに接しないため、これらのボタン３９，５１が負荷を受けるのを抑制することができる。このとき、第１後切り欠き部４３１を介して下側端子２７が露出しているため、閉状態のままで、下側端子２７に充電器などを接続して充電を行うことができる。
【０１１７】
そして、ゲーム装置１を使用する際には、カバー２を開状態にする。すなわち、前カバー６００と後カバー４００の固定状態を解除し、図２８に示すように、前カバー６００を、接続部７００を介して、後カバー４００の上縁から垂れ下がった状態まで旋回する。そして、カバー２の両側を、両手で把持し、プレーを行う。このとき、ゲーム装置１の第１主面１０１、周縁面１０３の上縁面１１３、右上隅面１５３、及び左上隅面１６３は、外部に開放されるため、これらの面に配置されたボタン３８，３９，５０，５１は、指で操作することができる。また、ゲーム装置１の上縁面も外部に開放されるため、スロット２３、音声入出力端子２５、電源ボタン２８、及び音量ボタン２９は外部に露出される。したがって、これらの操作も行うことができる。
【０１１８】
また、開状態においては、後カバー４００の第４切り欠き部４３４を介して、ゲーム装置１のスピーカ孔１１ａ，１１ｂが外部に露出するため、ゲーム装置１から発せられる音を聴くことができる。
【０１１９】
＜３．特徴＞
本実施形態に係るカバーによれば、以下の効果を得ることができる。
（１）前カバー６００の内面に、ジョイスティック３２，５２と対応する位置を含むように窪み部６１１、６１２が形成されているため、閉状態において、前カバー６００がジョイスティック３２，５２と接触するのを抑制することができる。これにより、ジョイスティック３２，５２に負荷が作用することを抑制することができる。その一方で、前カバー６００の外面において、窪み部６１１、６１２の反対側の位置を含むように膨出部が形成されているため、前カバー６００の外面において膨出部６５１，６５２以外の外面はゲーム装置１の第１主面１０１に膨出部６５１，６５２よりも近接する。このように、前カバー６００は、ジョイスティック３２，５２が設けられている位置だけが膨出しているため、ジョイスティック３２，５２に不要な負荷が作用するのを避けつつ、全体としてコンパクトにすることができる。すなわち、ゲーム装置１の形状に適したカバー２を提供することができる。
【０１２０】
（２）後カバー４００の側壁部４２が、ゲーム装置１の周縁面１０３の少なくとも下縁面１２３及び一対の側縁面１３３，１４３の３箇所で係合するため、ゲーム装置１を固定することができる。特に、ゲーム装置１の下縁面１２３が側壁部４２の下縁部４２１と係合するため、例えば、ゲーム装置１の下縁面１２３を鉛直方向の下方に向けた状態でプレイする場合に、ゲーム装置１がプレイ中に後カバー４００から下方に離脱するのを抑制することができる。さらに、接続部７００は、閉状態において、ゲーム装置１の上縁面１１３を覆う位置に配置される。したがって、カバー２の上縁部からのゲーム装置１の離脱も抑制することができる。
【０１２１】
（３）後カバー４００の側壁部４２が上縁部に設けられておらず、且つ側壁部４２が前方への抜け止めとして機能しているため、側壁部４２に対し、ゲーム装置１を上方からスライドさせながら、後カバー４００に取り付けることができる。したがって、ゲーム装置１の取付が容易である。
【０１２２】
（４）カバー２を閉状態にするときには、前カバー６００と後カバー４００の端面４０３，６０３同士を磁石４５，６５によって固定しているため、カバー２をよりコンパクトにすることができる。また、両カバー４００，６００の閉状態を維持するために、磁石４５，６５でのみ固定しているため、前カバー６００を開くだけで、開状態にすることができる。すなわち、１つの操作のみで、カバー２を開状態にすることができるため、操作が簡単である。なお、磁石以外にも閉状態を保持する構成を設けてもよく、このときも、少なくとも磁石による固定状態の解除は容易におこなうことができる。
【０１２３】
（５）接続部７００がシート７２，７３によって形成されているため、閉状態にするときの前カバー６００の旋回角度に制限がなく、ユーザの好みの状態まで旋回させることができる。また、カバー２を手で把持したときに、開状態にすると、前カバー６００の重量により、接続部７００が後カバー４００から垂れ下がった状態になる。すなわち、前カバー６００の重量により自然と開状態を維持することができる。さらに、接続部７００が、後カバー４００と前カバー６００を覆うシート７２、７３のみによって形成されているため、部品点数の増加を抑制することができる。
【０１２４】
（６）前カバー６００を開いたときに、接続部７００も同時に後カバー４００から離れるように旋回するため、開状態においては、後カバー４００の上縁部からゲーム装置１の上縁面１１３を露出させることができる。そのため、ゲーム装置１の上縁面１１３にある各種のインターフェースを操作することができる。
【０１２５】
（７）前カバー６００及び後カバー４００を覆う前カバーシート７２及び後カバーシート７１は限定されないが、例えば、織布によって覆うと、指紋が目立たないという利点がある。また、これらのカバーシート７１，７２によって磁石４５，６５を隠すことができ、外観をよくすることができる。さらに、内側カバーシート７３を、カバーシート７１，７２よりも柔らかいシート材で形成することで、ゲーム装置の保護効果を高め得る。また、カバーシート７１〜７３の材料、表面に付される装飾、デザイン等を適宜変更することができるため、これによって、カバーのデザインを容易に変更することができる。したがって、カバーシート７１〜７３のみを変更するだけで、要求されるカバー２のデザインに容易に対応することができる。
【０１２６】
（８）ゲーム装置１を収容したときにスピーカ孔１１ａ，１１ｂと対向する位置に、第４切り欠き部４３４が形成されているため、スピーカ孔１１ａ，１１ｂが塞がれるのが抑制され、外部に開放することができる。したがって、スピーカ孔１１ａ，１１ｂから出力される音を聞きやすくすることができる。特に、この切り欠き部４３４は、断面円弧状に形成されているため、音がスムーズに流れやすい。さらに、この切り欠き部４３４は、断面円弧状に形成されており、切り欠き部４３４内に鋭利な角が形成されていないため、後カバーシート７１を貼り付け易いという利点もある。なお、この第４切り欠き部４３４は、下縁部４２１の端面４０３及び内面４０１に設けられているため、カバー２の閉状態においては外部に露出されない。したがって、カバー２の閉状態において、第４切り欠き部４３４が他のものに引っかかるようなことが抑制される。
【０１２７】
（９）ＺＲボタン５１及びＺＬボタン３９は、ゲーム装置１の第２主面１０２から後方へ突出しているため、例えば、前カバー６００がこれらのボタン３９，５１も覆うように設けられると、前カバー６００を開く際に、これらのボタン３９，５１に引っかかりやすくなり、前カバー６００が開きにくくなるおそれがある。また、前カバー６００を開く際に、これらのボタン３９，５１との干渉を抑制するため、接続部７００を長く形成することも考えられるが、このようにすると、開状態において、前カバー６００が後カバー４００からかなり垂れ下がり、ゲーム装置１の操作時に邪魔になるおそれがある。これに対して、本実施形態に係るカバー２では、閉状態であっても、ゲーム装置１のＺＲボタン５１及びＺＬボタン３９を覆わず、開口８０１，８０２を形成して、これらのボタン３９，５１を露出させている。より詳細には、ＺＲボタン５１、及びＺＬボタン３９に対する押し操作が行われるボタン表面の少なくとも一部は、カバー２が閉状態であっても覆われることなく露出される。これらのボタン３９，５１に前カバー６００が干渉することを抑制でき、前カバー６００を開きやすくすることができる。また、接続部７００を長くする必要がなく、ゲーム装置１の操作性が悪化するのを抑制することができる。
【０１２８】
＜４．変形例＞
以上、本発明の一実施形態について説明したが、本発明は上記各実施形態に限定されるものではなく、その趣旨を逸脱しない限りにおいて、種々の変更が可能である。例えば、以下の変更が可能である。また、以下の変形例は、適宜組み合わせることができる。
【０１２９】
＜Ａ．本開示の第１のカバーについて＞
（Ａ−１）上記実施形態では、ゲーム装置１の第１主面１０１から突出するジョイスティック３２，５２を覆うように窪み部６１１，６１２が設けられているが、窪み部はジョイスティック３２，５２以外の操作部を覆うものであってもよい。例えば、ゲーム装置の第１主面１０１に、ジョイスティック３２，５２以外の各種ボタン（十字キー３３等）よりも高く突出するボタンや、押圧操作だけでなく横方向にも操作可能に突出する操作部等が設けられている場合には、これらを覆うものであってもよい。
【０１３０】
上記実施形態では、窪み部６１１，６１２は、平面視円形状に形成されているが、ジョイスティックを覆うような形状であれば、これ以外の形状であってもよい。同様に、膨出部６５１，６５２の形状も平面視円形状ではなくてもよい。特に、膨出部６５１，６５２は、前カバー部材６の外面６０２に形成されるため、何らかのキャラクタ等の造形であってもよい。また、窪み部６１１，６１２は、ジョイスティック３２，５２の全体を覆う形状でなくてもよく、少なくとも一部が覆われていればよい。
【０１３１】
（Ａ−２）上記実施形態では、後カバー４００の側壁部４２における一対の側縁部４２２，４２３及び下縁部４２１が、ゲーム装置１の周縁面１０３に係合し、抜け止めとして機能しているが、これに限定されず、側壁部４２の一部が周縁面１０３に係合していればよい。例えば、一対の側縁部４２２，４２３のみが周縁面１０３に係合し、下縁部４２１は、単に周縁面１０３に接するだけでもよい。なお、上記実施形態では、側壁部４２に上記のような抜け止めを形成することで、側壁部４２と周縁面１０３とが係合しているが、本発明に係る「係合」は、前後方向で周縁面１０３の離脱を抑制するような抜け止め以外でもよく、側壁部４２が周縁面１０３と接触しつつ、ゲーム装置１を側壁部４２に保持できるような態様であればよい。例えば、周縁面１０３のいずれかを側壁部４２が押圧することで、ゲーム装置１を側壁部４２に保持できればよい。また、例えば、側縁部４２２，４２３がゲーム装置１に係合する場合、側縁部４２２，４２３全体がゲーム装置１に係合していなくてもよく、側縁部４２２，４２３の一部がゲーム装置１に係合していてもよい。この点は、下縁部４２１が係合する場合でも同じである。
【０１３２】
（Ａ−３）後カバー４００の側壁部４２は、ゲーム装置１の周縁面１０３に沿うように連続的に形成されたものでなくてもよく、例えば、側壁部４２は、ゲーム装置１の下縁面１２３、右側縁面１３３、左側縁面１４３の、それぞれの面の少なくとも一部に対応（対向）するような、下縁部、右側縁部、左側縁部を備えるように、所定間隔をおいて形成されたものであってもよい。この点は、前カバー６００の側壁部６２についても同様である。また、後カバー４００の側壁部４２が設けられた位置と対応する位置にのみ、前カバー６００の側壁部６２が設けられてもよい。さらに、前カバー６００の上縁部６２１はなくともよい。
【０１３３】
また、各カバー４００，６００の側壁部４２，６２は、上記実施形態のように、基部４１，６１の周縁から折り返されたような形態だけでなく、例えば、各基部４１，６１を、ゲーム装置１の主面１０１，１０２よりも大きく形成し、基部４１，６１の周縁よりも内側から側壁部４２，６２が起立するような形態であってもよい。
【０１３４】
（Ａ−４）上記実施形態では、前カバー６００及び後カバー４００のそれぞれに側壁部６２，４２が設けられているが、例えば、後カバー４００のみに側壁部を設け、前カバー６００は基部だけ設けてもよく、反対に、前カバー６００にのみ側壁部を設け、後カバー４００は基部だけ設けてもよい。
【０１３５】
（Ａ−５）上記実施形態において、各カバー部材４，６に形成された薄肉部４１２，４２８，６３３は、内側カバーシート７３を貼り付ける際に、段差が形成されないようにするためのものであるため、その限りにおいては種々の変更が可能である。例えば、薄肉部４１２，４２８，６３３は、カバー部材４，６の肉厚を薄くするものではなく、各カバー部材４，６の外面において、薄肉部４１２，４２８，６３３と対応する部分が、外部に膨出するような態様であってもよい。また、薄肉部４１２，４２８，６３３は、基部４１，６１、側壁部４２，６２、だけでなく、基部と側壁部の両方に亘るように形成されてもよい。
【０１３６】
（Ａ−６）上記実施形態では、後カバー部材４及び前カバー部材６を３つのカバーシート７１〜７３によって覆うことで、カバー２を構成しているが、カバーシートの形態は特には限定されず、カバーシートの形状、数、材料、デザイン等は適宜変更することができる。また、これに合わせて薄肉部の等の段差を埋めるための形態も適宜変更することができる。さらに、カバーシート７１〜７３は必ずしも必要ではなく、カバー部材４，６と、これらを接続する接続部７００だけでカバー２を構成することもできる。この場合、接続部７００は、例えば、カバー部材４，６と同様の樹脂材料で形成してもよいし、あるいはシート材で形成してもよく、特には限定されない。
【０１３７】
（Ａ−７）窪み部６１１，６１２を含む前カバー６００の内面６０１は、ゲーム装置１の第１主面１０１のディスプレイ１２、ジョイスティック３２，５２、各種ボタン（十字キー３３等）等から完全に離間していなくてもよく、わずかに接触していてもよい。
【０１３８】
（Ａ−８）上記実施形態では、各カバー４００，６００の端面４０３，６０３同士を接触させ、磁石４５，６５によって閉状態を保持するように構成しているが、閉状態において接触する部分は特には限定されず、各カバー４００，６００の基部４１，６１または側壁部４２，６２のいずれかの部分が接触していればよい。また、閉状態を保持する構成も特には限定されず、例えば、他の部材を設けて両カバー４００，６００を固定することもできる。
【０１３９】
（Ａ−９）スピーカ孔１１ａ，１１ｂに対応する切り欠き部４３４の形態は特には限定されず、下縁面１２３対向する位置に設けられ、切り欠き部４３４を介してスピーカ孔１１ａ，１１ｂが外部に露出する形態であればよい。また、このような切り欠き部は必ずしも必要ではなく、設けなくてもよい。あるいは、側壁部４２の高さを低くして、スピーカ孔１１ａ，１１ｂを露出させてもよい。
【０１４０】
（Ａ−１０）延在部４４１，４４２の形態も特には限定されず、基部４１から延びるように設けられる部位であって、少なくともゲーム装置１の突出部３４，３５の一部を覆っていればよい。
【０１４１】
（Ａ−１１）上記実施形態では、前カバー６００において、ジョイスティック３２，５２を覆う部分にのみ膨出部６１１，６１２が形成されているが、前カバー６００の外面６０２においては、膨出部６１１，６１２以外の部分が膨らんでいてもよく、平坦に形成するほか、適宜凹凸を形成することができる。例えば、前カバー６００の外面に描かれたキャラクタの顔などの造形に合わせて、前カバー６００の全体に亘って凹凸が形成されてもよい。このとき、例えば、ジョイスティック３２，５２と対応する部分にキャラクタの目を配置し、この部分が前カバー６００において最も突出するように形成することができる。
【０１４２】
（Ａ−１２）上記実施形態では、前カバー６００に孔が形成されていないが、少なくとも１つの孔を形成し、閉状態において、各孔から、ゲーム装置１の一部が露出するようにしてもよい。
【０１４３】
（Ａ−１３）上記実施形態では、カバー２を、ゲーム装置１に適用したが、本発明に係る携帯用電子機器は、ゲーム装置に限定されず、スマートフォンなどの各種携帯用電子機器に適用することができる。
【０１４４】
＜Ｂ．本開示の第２のカバーについて＞
（Ｂ−１）上記実施形態では、前カバー６００に、窪み部６１１，６１２と膨出部６５１，６５２とを設けているが、前カバー６００の構成は特には限定されず、必ずしも凹凸が設けられていなくてもよい。すなわち、少なくとも前カバー６００の内面６０１が、ゲーム装置１のディスプレイ１２，ジョイスティック３２，５２、ボタン等に不要な負荷が作用しないように構成されていればよい。
【０１４５】
（Ｂ−２）延在部４４１，４４２は、必ずしも必要ではなく、設けなくてもよい。また、カバー２を閉状態にしたときの開口８０１，８０２も必ずしも必要ではなく、ＺＬボタン３９、ＺＲボタン５１が、前カバー６００、後カバー４００、及び接続部７００のいずれかに覆われてもよい。あるいは、後ろカバー４００の右上隅部および左上隅部に予め開口が設けられており、この開口を通じてＺＬボタン３９、ＺＲボタン５１が露出されてもよい。さらには、前カバー６００と後カバー４００とは閉じ状態においても接触をしない態様とされ、この前カバー６００と後カバー４００との隙間からＺＬボタン３９、ＺＲボタン５１が露出されてもよい。
【０１４６】
（Ｂ−３）第２のカバーは、ジョイスティック３２，５２のような高く突出する操作手段、ＺＬボタン３９、ＺＲボタン５１が設けられていないゲーム装置１にも適用することができる。
【０１４７】
（Ｂ−４）上述したＡ−２，Ａ−３，Ａ−５，Ａ−６，Ａ−８，Ａ−９，Ａ−１１，Ａ−１２，Ａ−１３は、本開示の第２のカバーにも適用することができる。
【０１４８】
＜Ｃ．本開示の第３のカバーについて＞
（Ｃ−１）上述したＡ−２，Ａ−３，Ａ−４，Ａ−５，Ａ−６，Ａ−８，Ａ−９，Ａ−１０，Ａ−１１，Ａ−１２，Ａ−１３，Ｂ−１は、本開示の第３のカバーにも適用することができる。
【０１４９】
（Ｃ−２）第３のカバーは、ジョイスティック３２，５２のような高く突出する操作手段が設けられていないゲーム装置１にも適用することができる。
【０１５０】
＜Ｄ．本開示の第４のカバーについて＞
（Ｄ−１）上記実施形態では、後カバー部材４及び前カバー部材６を３つのカバーシート７１〜７３によって覆うことで、カバー２を構成しているが、カバーシートの形態は特には限定されず、カバーシートの形状、数は適宜変更することができる。例えば、後カバー部材４及び前カバー部材６の両方を一体的な少なくとも１つのシートで覆うこともできる。また、各カバー部材４，６の内面を覆う少なくとも１つの内面シート、各カバー部材４，６の外面を覆う少なくとも１つの外面シートを設けることもできる。何れの場合も、いずれかのシートの一部によって接続部７００を形成することができる。さらに、上述したシートは、各カバー部材４，６を完全に覆っていなくてもよく、カバー部材４，６の一部が露出していてもよい。また、各カバーシートは、複数のシートを積層したものであってもよい。また、シートの形態に合わせて、薄肉部の段差を埋めるための形態も適宜変更することができし、薄肉部を設けないようにすることもできる。
【０１５１】
（Ｄ−２）上述したＡ−２，Ａ−３，Ａ−４，Ａ−５，Ａ−８，Ａ−９，Ａ−１１，Ａ−１２，Ａ−１３，Ｂ−１，Ｂ−２，Ｂ−３は、本開示の第４のカバーにも適用することができる。
【符号の説明】
【０１５２】
１  ゲーム装置（携帯用電子機器）
２  カバー
１１ａ，１１ｂ  スピーカ孔
１０１  第１主面
１０２  第２主面
１０３  周縁部
３２，５２  ジョイスティック
３９  ＺＬボタン（操作部）
５１  ＺＲボタン（操作部）
４００  後カバー
６００  前カバー
７００  接続部
４  後カバー部材
４１  基部（第１基部）
４２  側壁部（第１側壁部）
６  前カバー部材
６１  基部（第２基部）
６２  側壁部（第２側壁部）
【要約】      （修正有）【課題】携帯型電子機器の形状に適したカバーを提供する。【解決手段】ゲーム装置１において、カバー２の接続部７００は、前カバー６００及び後カバー４００を接続する。前カバーは、閉状態において、ゲーム装置の第１主面と対向する内面と、当該内面とは反対側の外面と、を有する。前カバーの内面は、閉状態において、ジョイスティックと対応する位置に、当該ジョイスティックの少なくとも一部を覆うように形成された窪み部を備える。前カバーの外面は、窪み部の反対側の位置に形成され、膨出する膨出部を備える。後カバーは、ゲーム装置の第２主面を覆う第１基部と、第１基部の周縁から延び、各突出部を下縁面側から覆う延在部と、を備える。閉状態において、前カバーと後カバーとの間に、操作部を外部に露出させる開口が形成されている。【選択図】図４【図１】
0006640408.tif 000002
【図２】
0006640408.tif 000003
【図３】
0006640408.tif 000004
【図４】
0006640408.tif 000005
【図５】
0006640408.tif 000006
【図６】
0006640408.tif 000007
【図７】
0006640408.tif 000008
【図８】
0006640408.tif 000009
【図９】
0006640408.tif 000010
【図１０】
0006640408.tif 000011
【図１１】
0006640408.tif 000012
【図１２】
0006640408.tif 000013
【図１３】
0006640408.tif 000014
【図１４】
0006640408.tif 000015
【図１５】
0006640408.tif 000016
【図１６】
0006640408.tif 000017
【図１７】
0006640408.tif 000018
【図１８】
0006640408.tif 000019
【図１９】
0006640408.tif 000020
【図２０】
0006640408.tif 000021
【図２１】
0006640408.tif 000022
【図２２】
0006640408.tif 000023
【図２３】
0006640408.tif 000024
【図２４】
0006640408.tif 000025
【図２５】
0006640408.tif 000026
【図２６】
0006640408.tif 000027
【図２７】
0006640408.tif 000028
【図２８】
0006640408.tif 000029